(57)【要約】      （修正有）【課題】組み立てが簡単で抜き差ししやすく使い勝手がよい光ファイバアダプタと光ファイバアダプタを用いた光ファイバ接続装置とを提供する。【解決手段】光ファイバ接続装置は、光ファイバアダプタ３と、アダプタに着脱可能に装着される光ファイバコネクタ４と、フェルール５とを備える。光ファイバアダプタの係止突起３２２は装着されるフェルール５側に対向して傾く第１の傾斜面３２３と一端部３１ａ側開口に対向して傾く第２の傾斜面３２４とを有する。第１の傾斜面は一端部側開口に近付くに従って装着方向と交差する水平方向の幅が狭くなるように設けられ、第２の傾斜面は一端部３１ａ側開口に近づくに従って装着方向と交差する水平方向の幅が広くなるように設けられている。【選択図】図３
0003229664.tif 000002
【実用新案登録請求の範囲】
【請求項１】
光ファイバアダプタと、該光ファイバアダプタに着脱可能に装着される光ファイバコネクタと、フェルールとを備えている、光ファイバ接続装置であって、
前記光ファイバアダプタは、前記光ファイバアダプタに対して前記光ファイバコネクタと前記フェルールとを装着する方向である第１の水平方向の相反する両端部は開口が形成されると共に前記開口を介して外に連通する収容キャビティが形成されたアダプタハウジングを有し、
前記アダプタハウジングの前記両端部における一端部は、前記フェルールを挟持して定位するための２つのクランプ手段と、前記２つのクランプ手段によって挟持された前記フェルールを保持するための２つのホールド手段とが設けられ、２つの前記クランプ手段と２つの前記ホールド手段とにより前記フェルールが挿入されて保持される挿入空間が前記収容キャビティと連通されるように設けられ、
２つの前記クランプ手段は、それぞれ、２本の保持アームが前記第１の水平方向に沿って延伸するように前記一端部から突き出て設けられており、各前記保持アームの突出端に係止突起が互いに向かい合うように突き出て設けられ、
前記係止突起は、装着される前記フェルール側に対向して傾く第１の傾斜面と、前記一端部側開口に対向して傾く第２の傾斜面とを有し、
前記第１の傾斜面は、前記一端部側開口に近づくに従ってその前記第１の水平方向に対して水平に交差する方向である第２の水平方向の幅が狭くなるように設けられ、
前記第２の傾斜面は、前記一端部側開口に近づくに従ってその前記第２の水平方向の幅が広くなるように設けられ、
前記光ファイバコネクタは、前記両端部における他端部側の開口を介して前記収容キャビティに装着され、
前記フェルールは、前記挿入空間を介して前記一端部に装着されるように構成されているケーシングと、光ファイバを取り付けるための、前記ケーシングから突き出て設けられた端子台と、前記端子台の前記第２の水平方向の両側に前記第１の水平方向に沿って延伸するように前記ケーシングに設けられた２本の芯管と、前記ケーシングに設けられ前記芯管をそれぞれ受け入れて定位する保持穴が形成されている固定部材とを有し、
前記フェルールが前記挿入空間に挿入され２つの前記クランプ手段によって挟まれている時、前記固定部材が前記係止突起によって当接され係止定位されることを特徴とする、
光ファイバ接続装置。
【請求項２】
前記係止突起は、前記第１の傾斜面と前記第２の傾斜面が一体状に接続されており、前記第１の水平方向に沿って略三角形状に形成された断面を有することを特徴とする、請求項１に記載の光ファイバ接続装置。
【請求項３】
前記アダプタハウジングは、前記収容キャビティを囲むように形成された囲い壁を有し、
前記囲い壁の前記収容キャビティ側の内面には、前記第１の水平方向に対して対向するように、前記第１の水平方向に沿って延伸する２つのキー溝が設けられ、
前記２つのキー溝の１つは、ガイドブロックが前記キー溝の溝面から前記第１の水平方向と前記第２の水平方向に対して垂直に交差する方向である垂直方向に沿って突き出されて設けられていることを特徴とする、
請求項１又は２に記載の光ファイバ接続装置。
【請求項４】
前記アダプタハウジングは更に、前記光ファイバアダプタに挿入された前記光ファイバコネクタが定位されるために、前記囲い壁側に連結される固定端と前記固定端から前記第１の水平方向に沿って突き出て延伸する自由端とを有する弾性変位する２本の片持ち状のラッチアームが、前記第２の水平方向にて間隔をおいて互いに前記第１の水平方向に対して対向するように設けられていることを特徴とする、請求項３に記載の光ファイバ接続装置。
【請求項５】
前記光ファイバコネクタは、前記光ファイバアダプタの２つの前記キー溝の１つに挿入される１つの極性キーが前記第１の水平方向に沿って延伸するように前記垂直方向に突き出て設けられ、
前記極性キーは前記ガイドブロックが挿入されるガイド溝が前記第１の水平方向に沿って延伸するように前記極性キーに切り欠いて形成されていることを特徴とする、
請求項３に記載の光ファイバ接続装置。
【請求項６】
光ファイバコネクタとフェルールとを着脱可能に装着するために用いられる光ファイバアダプタであって、
前記光ファイバアダプタに対して前記光ファイバコネクタと前記フェルールとを装着する方向である第１の水平方向の相反する両端部は開口が形成されると共に前記開口を介して外に連通する収容キャビティが形成されたアダプタハウジングを有し、
前記アダプタハウジングの前記両端部における一端部は、前記フェルールを挟持して定位するための２つのクランプ手段と、前記２つのクランプ手段によって挟持された前記フェルールを保持するための２つのホールド手段とが設けられ、
２つの前記クランプ手段と２つの前記ホールド手段とにより前記フェルールが挿入されて保持される挿入空間が前記収容キャビティと連通されるように設けられ、
２つの前記クランプ手段は、それぞれ、２本の保持アームが前記第１の水平方向に沿って延伸するように前記一端部から突き出て設けられており、各前記保持アームの突出端に係止突起が互いに向かい合うように突き出て設けられ、
前記係止突起は、装着される前記フェルール側に対向して傾く第１の傾斜面と前記収容キャビティ側に対向して傾く第２の傾斜面とを有し、
前記第１の傾斜面は、前記第１の水平方向に沿って前記収容キャビティの外方から前記収容キャビティ側に近づくに従ってその前記第１の水平方向に対して水平に交差する方向である第２の水平方向の幅が狭くなるように設けられ、
前記第２の傾斜面は、前記第１の水平方向に沿って前記収容キャビティの外方から前記収容キャビティ側に近づくに従ってその前記第２の水平方向の幅が広くなるように設けられていることを特徴とする、
光ファイバアダプタ。
【請求項７】
前記係止突起は、前記第１の傾斜面と前記第２の傾斜面が一体状に接続されており、前記第１の水平方向に沿って略三角形状に形成された断面を有することを特徴とする、請求項６に記載の光ファイバアダプタ。
【請求項８】
前記アダプタハウジングは、前記収容キャビティを囲むように形成された囲い壁を有し、
前記囲い壁の前記収容キャビティ側の内面は、前記第１の水平方向に対して対向するように、前記第１の水平方向に沿って延伸する２つのキー溝が設けられ、
前記２つのキー溝の１つは、ガイドブロックが前記キー溝の溝面から前記第１の水平方向と前記第２の水平方向に対して垂直に交差する方向である垂直方向に沿って突き出て設けられていることを特徴とする、
請求項６又は７に記載の光ファイバアダプタ。
【請求項９】
前記アダプタハウジングは、更に、前記光ファイバアダプタに挿入された前記光ファイバコネクタが定位されるために、前記囲い壁側に連結される固定端と前記固定端から前記第１の水平方向に沿って突き出て延伸する自由端とを有する弾性変位する２本の片持ち状のラッチアームが、前記第２の水平方向にて間隔をおいて互いに前記第１の水平方向に対して対向するように設けられていることを特徴とする、請求項８に記載の光ファイバアダプタ。
【考案の詳細な説明】
【技術分野】
【０００１】
本考案は、光ファイバ同士の接続に用いられる接続手段に関し、特に光ファイバ同士の接続に用いられる光ファイバ接続装置及び光ファイバアダプタに関する。
【背景技術】
【０００２】
図１は、従来の光ファイバ接続手段の一例の構成を示す斜視図である。この光ファイバ接続手段は、マルチファイバプッシュオン（Ｍｕｌｔｉ−Ｆｉｂｅｒ  Ｐｕｓｈ  Ｏｎ：ＭＰＯ）タイプのフェルール２と、メカニカルトランスファ（Ｍｅｃｈａｎｉｃａｌ  Ｔｒａｎｓｆｅｒ：ＭＴ）タイプの光ファイバコネクタとを接続する、光ファイバアダプタ１であって、図２に示されているように、この光ファイバアダプタ１の両端に、それぞれＭＰＯフォーマットのフェルール２と、ＭＴフォーマットの光ファイバコネクタ（図２に図示せず）とが挿入される。この光ファイバアダプタ１によって、規格の異なるフェルール２と光ファイバコネクタとが電気的に接続される。
【０００３】
具体的には、図１、図２に示されているように、光ファイバアダプタ１は、ハウジング１１と、ハウジング１１の一端から突き出るように設けられた２つのばねフック１２とを備えている。ハウジング１１には、フェルール２が差し込まれて光ファイバアダプタ１側の電気端子と電気的に接続される収容部１１１が設けられている。２つのばねフック１２の間には収容部１１１と連通される案内スリット１２１が形成されている。フェルール２が案内スリット１２１を介してばねフック１２が押されて外向きに広げられるが、収容部１１１に差し込まれると、フック１２のフック爪がフェルール２の係止段部を越えてフェルール２の係止段部に引っ掛けられて、フェルール２が光ファイバアダプタ１に対して位置決めされて定位される。
【考案の概要】
【考案が解決しようとする課題】
【０００４】
上記のように、従来の光ファイバ接続手段は、ばねフック１２によって光ファイバアダプタ１とフェルール２とが位置決めされて連結されることによってフェルール２と光ファイバコネクタとが電気的に接続されることができるが、フェルール２がばねフック１２によって光ファイバアダプタ１に係止されている状態である係止状態を解除するのに手間がかかるという問題点がある。また、ばねフック１２は薄肉状に形成されているので、ツールを使ってばねフック１２を広げなければならず使い勝手がよくないという問題点もある。
【０００５】
本考案は、簡単に組み立て可能であり抜き差しし易く使い勝手がよい光ファイバアダプタと光ファイバアダプタを用いた光ファイバ接続装置とを提供することを目的とする。
【課題を解決するための手段】
【０００６】
上記目的を達成すべく、本考案は、光ファイバアダプタと、前記光ファイバアダプタに着脱可能に装着される光ファイバコネクタと、フェルールとを備えている、光ファイバ接続装置であって、前記光ファイバアダプタは、前記光ファイバアダプタに対して前記光ファイバコネクタと前記フェルールとを装着する方向である第１の水平方向の相反する両端部は開口が形成されると共に前記開口を介して外に連通する収容キャビティが形成されたアダプタハウジングを有し、前記アダプタハウジングの前記両端部における一端部は、前記フェルールを挟持して定位するための２つのクランプ手段と、前記２つのクランプ手段によって挟持された前記フェルールを保持するための２つのホールド手段とが設けられ、２つの前記クランプ手段と２つの前記ホールド手段とにより前記フェルールが挿入されて保持される挿入空間が前記収容キャビティと連通されるように設けられ、２つの前記クランプ手段は、それぞれ、２本の保持アームが前記第１の水平方向に沿って延伸するように前記一端部から突き出て設けられており、各前記保持アームの突出端に係止突起が互いに向かい合うように突き出て設けられ、前記係止突起は装着される前記フェルール側に対向して傾く第１の傾斜面と前記一端部側開口に対向して傾く第２の傾斜面とを有し、前記第１の傾斜面は、前記一端部側開口に近づくに従ってその前記第１の水平方向に対して水平に交差する方向である第２の水平方向の幅が狭くなるように設けられ、前記第２の傾斜面は、前記一端部側開口に近づくに従ってその前記第２の水平方向の幅が広くなるように設けられ、前記光ファイバコネクタは、前記両端部における他端部側の開口を介して前記収容キャビティに装着され、前記フェルールは、前記挿入空間を介して前記一端部に装着されるように構成されているケーシングと、光ファイバを取り付けるための前記ケーシングから突き出て設けられた端子台と、前記端子台の前記第２の水平方向の両側に前記第１の水平方向に沿って延伸するようにケーシングに設けられた２本の芯管と、前記ケーシングに設けられ前記芯管をそれぞれ受け入れて定位する保持穴が形成されている固定部材とを有し、前記フェルールが前記挿入空間に挿入され２つの前記クランプ手段によって挟まれている時、前記固定部材が前記係止突起によって当接されると共に定位されることを特徴とする光ファイバ接続装置を提供する。
【０００７】
また、本考案は、光ファイバコネクタとフェルールとを着脱可能に装着するために用いられる光ファイバアダプタであって、前記光ファイバアダプタに対して前記光ファイバコネクタと前記フェルールとを装着する方向である第１の水平方向の相反する両端部は開口が形成されると共に前記開口を介して外に連通する収容キャビティが形成されたアダプタハウジングを有し、前記アダプタハウジングの前記両端部における一端部は、前記フェルールを挟持して定位するための２つのクランプ手段と、前記２つのクランプ手段によって挟持された前記フェルールを保持するための２つのホールド手段とが設けられ、２つの前記クランプ手段と２つの前記ホールド手段とにより前記フェルールが挿入されて保持される挿入空間が前記収容キャビティと連通されるように設けられ、２つの前記クランプ手段は、それぞれ、２本の保持アームが前記第１の水平方向に沿って延伸するように前記一端部から突き出て設けられており、各前記保持アームの突出端に係止突起が互いに向かい合うように突き出て設けられ、前記係止突起は装着される前記フェルール側に対向して傾く第１の傾斜面と前記収容キャビティ側に対向して傾く第２の傾斜面とを有し、前記第１の傾斜面は、前記第１の水平方向に沿って前記収容キャビティの外方から前記収容キャビティ側に近づくに従ってその前記第１の水平方向に対して水平に交差する方向である第２の水平方向の幅が狭くなるように設けられ、前記第２の傾斜面は、前記第１の水平方向に沿って前記収容キャビティの外方から前記収容キャビティ側に近づくに従ってその前記第２の水平方向の幅が広くなるように設けられていることを特徴とする光ファイバアダプタをも提供する。
【考案の効果】
【０００８】
係止突起は装着されるフェルール側に対向して傾く第１の傾斜面と一端部側開口に対向して傾く第２の傾斜面とを有する。第１の傾斜面は光ファイバアダプタの一端部側開口に近付くに従って第２の水平方向の幅が狭くなるように設けられている。フェルールは光ファイバアダプタに挿入される際、フェルールが挿入空間を介して光ファイバアダプタの一端部開口に向かって挿入されるように第１の水平方向に沿って移動され、第１の傾斜面がケーシングに押し付けられて光ファイバアダプタの保持アームが外向きに広げられるように撓み変形しながらフェルールのケーシングを乗り越える。ここで、第１の傾斜面は、第１の水平方向に沿って外方から挿入空間に近づくに従ってその第２の水平方向の幅が狭くなるように設けられているので、保持アームのケーシングに対する接触面積が小さくなり摩擦抵抗が低減される。第２の傾斜面は、第１の水平方向に沿って外側から挿入空間に近づくに従ってその第２の水平方向の幅が広くなるように設けられているので、係止突起のケーシングに対する接触面積が大きくなりフェルールの安定した移動を可能とする。従って、フェルールを光ファイバアダプタに挿入する時移動し易くなり、光ファイバアダプタの保持アームがケーシングを簡単に乗り越えることができ、また、フェルールが係止突起によって係止定位される。
【０００９】
光ファイバアダプタに挿入されているフェルールを光ファイバアダプタから抜き出す際、フェルールを挿入空間を介して光ファイバアダプタから抜き出すように第１の水平方向に沿って移動し、第２の傾斜面がケーシングに押し付けられて光ファイバアダプタの保持アームが第２の水平方向の外向きに広げられるように撓み変形しながらフェルールのケーシングを乗り越える。ケーシングが保持アームを乗り越え、ケーシングが係止突起から脱離されると、第２の水平方向の内向きに弾性的に復位され、フェルールが光ファイバアダプタから離れる。ここで、第２の傾斜面は、第１の水平方向に沿って挿入空間から離れるに従ってその第２の水平方向の幅が狭くなるように設けられているので、保持アームのケーシングに対する接触面積が小さくなり摩擦抵抗が低減される。従って、光ファイバアダプタの保持アームがケーシングを簡単に乗り越えることができ、フェルールが光ファイバアダプタから簡単に離れることができる。
【００１０】
従って、フェルールを介して簡単に光ファイバアダプタに挿入したり光ファイバアダプタから脱離したりすることができる。フェルールを簡単に光ファイバアダプタに挿入したり光ファイバアダプタから脱離したりすることができるので、使用者はツールを用いることなくフェルールの光ファイバアダプタに対する着脱を簡単且つ省力に行うことができる。
【図面の簡単な説明】
【００１１】
【図１】従来の光ファイバアダプタ及びフェルールを示す斜視図である。
【図２】図１の光ファイバアダプタにフェルールが挿入されている状態を示す組立断面図である。
【図３】本考案に係る光ファイバ接続装置の実施例を示す分解斜視図である。
【図４】本実施例に係る光ファイバアダプタにフェルールが挿入されている状態を示す第１の水平方向Ａに沿った組立断面図である。
【図５】本実施例に係る光ファイバアダプタを示す斜視図である。
【図６】光ファイバコネクタがある向きに光ファイバアダプタに挿入された光ファイバ接続装置を示す第２の水平方向Ｂに沿った組立断面図である。
【図７】光ファイバコネクタが逆向きに光ファイバアダプタに挿入された光ファイバ接続装置を示す第２の水平方向Ｂに沿った組立断面図である。
【考案を実施するための形態】
【００１２】
以下、添付図面を参照しながら本考案の実施例について説明する。
【００１３】
図３は本考案の実施例に係る光ファイバ接続装置の分解斜視図である。光ファイバ接続装置は、規格が異なる接続手段を差し込んで装着する光ファイバアダプタ３と、接続手段例えばＭＴタイプの光ファイバコネクタ４と、接続手段例えばＭＰＯタイプのフェルール５を備えている。光ファイバアダプタ３に光ファイバコネクタ４とフェルール５とを着脱可能に装着する方向を第１の水平方向Ａ、第１の水平方向Ａに対して水平に交差する方向を第２の水平方向Ｂ、第１の水平方向Ａと第２の水平方向Ｂに対して垂直に交差する方向を垂直方向Ｃとする。
【００１４】
光ファイバアダプタ３は、それぞれ光ファイバコネクタ４とフェルール５とを装着する開口が形成されている。光ファイバアダプタ３は第１の水平方向Ａの相反する両端部３１ａ、３１ｂを有し、開口を介して外に連通する収容キャビティ３１１（図４を参照）を囲んで形成した囲い壁３１２（図４を参照）を有する例えば扁平状に形成されているアダプタハウジング３１を有する。この実施例では、囲い壁３１２は第２の水平方向Ｂにて間隔をおいて対向する２つの側壁３１ｃと、２つの側壁３１ｃに掛け渡されて連結されるように垂直方向Ｃにて間隔をおいて対向する２つのカバー壁３１ｄとにより第１の水平方向Ａの両端部３１ａ、３１ｂが開口されるように構成されている。
【００１５】
光ファイバアダプタ３の両端部３１ａ、３１ｂにおける一端部３１ａは、挿入されたフェルール５を挟持するために、第２の水平方向Ｂにて間隔をおいて互いに対向する２つのクランプ手段３２と、挿入されたフェルール５を保持するために、垂直方向Ｃにて間隔をおいて互いに対向する２つのホールド手段３３とが設けられている。
【００１６】
図３に示されているように、２つのクランプ手段３２は、それぞれ、２本の保持アーム３２１が第１の水平方向Ａに沿って延伸するように囲い壁３１２の一端部３１ａから突き出て設けられており、各保持アーム３２１は弾性変位する片持ち状に設けられ、一端部３１ａ側に連結された固定端と固定端から突き出る突出端とを有し、２つの保持アーム３２１の突出端は、それぞれ係止突起３２２が互いに向かい合うように突き出されて設けられている。
【００１７】
２つのホールド手段３３は、垂直方向Ｃにて間隔をおいて対向するように一端部３１ａからつば状に突き出て形成されており、２つのクランプ手段３２とによりフェルール５が挿入されて保持される挿入空間３４が収容キャビティ３１１と連通されるように設けられている。
【００１８】
光ファイバアダプタ３に挿入された光ファイバコネクタ４が定位されるために、囲い壁３１２の２つの側壁３１ｃは、それぞれ、他端部３１ｂから切り欠いて第１の水平方向Ａに沿って延伸する２つのスリットが垂直方向Ｃにて間隔をおいて設けられている。また、囲い壁３１２の他端部３１ｂ側に連結される固定端３１４ａと固定端３１４ａから第１の水平方向Ａに沿って突き出て延伸する自由端３１４ｂとを有する弾性変位する２本の片持ち状のラッチアーム３１４が互いに第１の水平方向Ａに対して対向するように設けられている。２つのラッチアーム３１４の自由端３１４ｂは、それぞれ第１の水平方向Ａに対して互いに対向するように突出されたラッチ突起３１４ｃが設けられている。
【００１９】
図５に示されるように、囲い壁３１２の２つのカバー壁３１ｄの収容キャビティ３１１側の内面は、それぞれ、第１の水平方向Ａに沿ってに延伸するキー溝３１５が設けられている。１つのカバー壁３１ｄのキー溝３１５はガイドブロック３１３が例えば第１の水平方向Ａに沿ってリブ状に延伸するようにキー溝３１５の溝面から垂直方向Ｃに沿って突き出されて設けられている。当該キー溝３１５にはガイドブロック３１３によって仕切られて第１の水平方向Ａに沿って延伸する２つの溝部３１６が形成される。
【００２０】
保持アーム３２１とラッチアーム３１４とは互いに反対側に第１の水平方向Ａに沿って延伸するように設けられ、係止突起３２２とラッチ突起３１４ｃとは、それぞれ互いに第１の水平方向Ａに対して対向するように設けられているが、フェルール５と光ファイバコネクタ４とが挿入されて係止定位されれば、この例に限らない。
【００２１】
この例では、係止突起３２２の１つは、第２の水平方向Ｂにおいて他の１つの係止突起３２２と対向するように挿入空間３４側に突き出て設けられており、装着されるフェルール５側に対向して傾く第１の傾斜面３２３と一端部３１ａ側に対向して傾く第２の傾斜面３２４とを有し、第１の傾斜面３２３と第２の傾斜面３２４が互いに背斜すると共に一体状に接続することにより係止突起３２２が第１の水平方向Ａに沿って略三角形状に形成された断面を有する。第１の傾斜面３２３は、第１の水平方向Ａに沿って一端部３１ａ側に近づくに従ってその第２の水平方向Ｂの幅が狭くなるように設けられている。第２の傾斜面３２４は、第１の水平方向Ａに沿って一端部３１ａ側に近づくに従ってその第２の水平方向Ｂの幅が広くなるように設けられている。
【００２２】
収容キャビティ３１１と挿入空間３４との大きさは、挿入される光ファイバコネクタ４とフェルール５との大きさに対応し、この実施例では、収容キャビティ３１１の第２の水平方向Ｂの幅は挿入空間３４の第２の水平方向Ｂの幅よりも小さくなっている。
【００２３】
フェルール５は、挿入空間３４を介して一端部３１ａの開口に装着されるように形成されているケーシング５１と、光ファイバを取り付けるための、ケーシング５１から一端部３１ａの反対側に突き出て設けられた端子台５２と、端子台５２の第２の水平方向Ｂの両側に第１の水平方向Ａに沿って延伸するようにケーシング５１に設けられた２本の芯管５３と、ケーシング５１に設けられている芯管５３をそれぞれ受け入れて定位する保持穴５４１が形成されているプレート状の固定部材５４と、を有する。フェルール５が光ファイバアダプタ３に挿入され２つのクランプ手段３２によって挟まれている時、固定部材５４が係止突起３２２によって係止定位される。
【００２４】
光ファイバコネクタ４は、光ファイバを収容して取り付けられる収容空間４４を有するように構成され、収容キャビティ３１１に挿入されて係止される挿入端部４ａを有し、光ファイバコネクタ４に取り付けられる光ファイバ及びフェルール５に取り付けられる光ファイバが光ファイバアダプタ３にそれぞれ挿入されて連結される。光ファイバコネクタ４の挿入端部４ａの第２の水平方向Ｂの２つの側壁それぞれには、ラッチアーム３１４がそれぞれ摺動する２つの案内溝４１１と、２つの案内溝４１１それぞれに第２の水平方向Ｂに沿って延伸する係止ブロック４１と、ラッチ突起３１４ｃが係止ブロック４１を乗り越えて嵌合可能に案内溝４１１において係止ブロック４１によって形成される係止孔４１２とが設けられている。
【００２５】
この例では、光ファイバコネクタ４は、その２つの側壁により収容空間４４を形成するようにその２つの側壁に掛け渡されて連結されるように垂直方向Ｃにて間隔をおいて対向する２つの覆い壁を更に有し、１つの覆い壁は、光ファイバアダプタ３の２つのキー溝３１５のいずれかに挿入される１つの極性キー４２が第１の水平方向Ａに沿って延伸するように当該覆い壁の外側に突き出て設けられ、極性キー４２はガイドブロック３１３が挿入されるガイド溝４２１が第１の水平方向Ａに沿って延伸するように極性キー４２に切り欠いて形成されている。
【００２６】
フェルール５は、光ファイバアダプタ３に挿入される際、フェルール５が挿入空間３４を介して光ファイバアダプタ３の一端部３１ａ開口に向かって挿入されるように第１の水平方向Ａに沿って移動し、第１の傾斜面３２３がケーシング５１に押し付けられて光ファイバアダプタ３の保持アーム３２１が第２の水平方向Ｂの外向きに広げられるように撓み変形しながらフェルール５のケーシング５１を乗り越える。保持アーム３２１がケーシング５１を乗り越えると、係止突起３２２が第２の水平方向Ｂの内向きに弾性的に復位され固定部材５４に押し付けて係止されると、フェルール５が光ファイバアダプタ３の一端部３１ａに挿入される。ここで、第１の傾斜面３２３は、第１の水平方向Ａに沿って外方から挿入空間３４に近づくに従ってその第２の水平方向Ｂの幅が狭くなるように設けられているので、保持アーム３２１のケーシング５１に対する接触面積が小さくなり摩擦抵抗が低減される。第２の傾斜面３２４は、第１の水平方向Ａに沿って外側から挿入空間３４に近づくに従ってその第２の水平方向Ｂの幅が広くなるように設けられているので、係止突起３２２のケーシング５１に対する接触面積が大きくなり、フェルール５の安定した移動を可能とする。従って、フェルール５を光ファイバアダプタ３に挿入する時移動し易くなり、光ファイバアダプタ３の保持アーム３２１がケーシング５１を簡単に乗り越えることができ、また、フェルール５が係止突起３２２によって安定して係止定位される。
【００２７】
光ファイバアダプタ３に挿入されているフェルール５を光ファイバアダプタ３から抜き出す際、挿入空間３４を介してフェルール５を光ファイバアダプタ３から抜き出すように第１の水平方向Ａに沿って移動され、第２の傾斜面３２４がケーシング５１に押し付けられて光ファイバアダプタ３の保持アーム３２１が外向きに広げられるように撓み変形しながらフェルール５のケーシング５１を乗り越える。ケーシング５１が保持アーム３２１を乗り越え、ケーシング５１が係止突起３２２から脱離されると、第２の水平方向Ｂの内向きに弾性的に復位され、フェルール５が光ファイバアダプタ３から離れる。ここで、第２の傾斜面３２４は、第１の水平方向Ａに沿って挿入空間３４から離れるに従ってその第２の水平方向Ｂの幅が狭くなるように設けられているので、保持アーム３２１のケーシング５１に対する接触面積が小さくなり摩擦抵抗が低減される。従って、光ファイバアダプタ３の保持アーム３２１がケーシング５１を簡単に乗り越えることができ、フェルール５が光ファイバアダプタ３から簡単に離れることができる。
【００２８】
以上により、係止突起３２２は、相反する２つの傾斜面３２３、３２４により第１の水平方向Ａに沿って三角形に形成された断面を有するので、フェルール５を介して簡単に光ファイバアダプタ３に挿入したり光ファイバアダプタ３から脱離したりすることができる。フェルール５を簡単に光ファイバアダプタ３に挿入したり光ファイバアダプタ３から脱離したりすることができるので、使用者はツールを用いることなくフェルール５の光ファイバアダプタ３に対する着脱を簡単且つ省力に行うことができる。従って、本実施例によれば、着脱操作を省力に行うことができ使い勝手がよい光ファイバアダプタ３と光ファイバアダプタ３を備えた光ファイバ接続装置とを提供することができる。
【００２９】
ラッチ突起３１４ｃは、図４に示されているように、第１の水平方向Ａに沿って相反する２つの傾斜面と２つの傾斜面間の平面とにより台形状に形成された断面を有するように形成されているので、光ファイバコネクタ４は光ファイバアダプタ３に挿入される時、ラッチ突起３１４ｃにおける収容キャビティ３１１の外側の傾斜面によって案内溝４１１を摺動しながら、係止ブロック４１を乗り越えてラッチ突起３１４ｃが係止孔４１２に嵌入されて、係止ブロック４１によって係止される。光ファイバアダプタ３に挿入された光ファイバコネクタ４を抜き出す時、ラッチ突起３１４ｃにおける収容キャビティ３１１の内側の傾斜面によって係止ブロック４１を乗り越えて案内溝４１１を摺動しながら、光ファイバコネクタ４が脱離することができる。
【００３０】
光ファイバコネクタ４の極性キー４２は、光ファイバアダプタ３に対して２つのカバー壁３１ｄのキー溝３１５のいずれかに挿入され係合されることができる。そして、第１の水平方向Ａに沿って延伸するガイド溝４２１にガイドブロック３１３が挿入係合されるだけで素早く所定の極性が得られる。本考案に係る光ファイバ接続装置によれば、光ファイバコネクタ４は光ファイバアダプタ３に対して簡単に着脱可能に挿入することができるので、素早く特定の極性を得ることができる。通常の規格を有する例えばガイド溝４２１が設けられていない光ファイバコネクタ４が光ファイバアダプタ３に挿入される時ガイドブロック３１３によって極性キー４２の挿入を阻止するため、所定の１つの極性を得ることができる。
【００３１】
以上、本考案の好ましい実施形態を説明したが、本考案はこれに限定されるものではなく、その要旨を逸脱しない範囲で種々変更可能であることを理解されたい。
【産業上の利用可能性】
【００３２】
本考案に係る光ファイバアダプタ及び光ファイバ接続装置は、光ファイバ同士の接続に有用である。
【符号の説明】
【００３３】
３  光ファイバアダプタ
３１  アダプタハウジング
３１１  収容キャビティ
３１２  囲い壁
３１３  ガイドブロック
３１４  ラッチアーム
３１４ａ  固定端
３１４ｂ  自由端
３１４ｃ  ラッチ突起
３１５  キー溝
３１６  溝部
３１ａ  一端部
３１ｂ  他端部
３１ｃ  側壁
３１ｄ  カバー壁
３２  クランプ手段
３２１  保持アーム
３２２  係止突起
３２３  第１の傾斜面
３２４  第２の傾斜面
３３  ホールド手段
３４  挿入空間
４  光ファイバコネクタ
４１  係止ブロック
４１１  案内溝
４１２  係止孔
４２  極性キー
４２１  ガイド溝
４４  収容空間
４ａ  挿入端部
５  フェルール
５１  ケーシング
５２  端子台
５３  芯管
５４  固定部材
５４１  保持穴
Ａ  第１の水平方向
Ｂ  第２の水平方向
Ｃ  垂直方向
【図１】
0003229664.tif 000003
【図２】
0003229664.tif 000004
【図３】
0003229664.tif 000005
【図４】
0003229664.tif 000006
【図５】
0003229664.tif 000007
【図６】
0003229664.tif 000008
【図７】
0003229664.tif 000009